(57)【特許請求の範囲】
【請求項１】
床面上に設置される間仕切り装置と、
該間仕切り装置に上下方向に離間して設けられた複数段の支持ブラケットと、
前記床面上に設置される支持体と、
前記支持体及び各前記支持ブラケットに支持される複数段の棚板と、を備え、
平面視において、前記棚板のうち最上段に設置される最上段棚板以外の棚板及び前記支持体は、前記最上段棚板と重なるように配置され、
前記支持ブラケットは、前記支持体に連結され、
前記間仕切り装置は、パネル状の基材、及び該基材の外周端部の少なくとも一部に沿って設けられ、該基材の内方に向けて凹んだ溝、を有したパネル体を備え、
前記溝どうしを対向させて互いに隣接配置された二枚の前記パネル体において、前記溝内に配置され、上下方向に延びる杆体、をさらに備え、
前記支持ブラケットは、前記杆体に連結され、該杆体から前記棚板側に延出していることを特徴とする什器システム。
【請求項２】
前記杆体の下部は、前記床面上に直接的または間接的に支持されていることを特徴とする請求項１に記載の什器システム。
【請求項３】
互いに隣接する二枚の前記パネル体どうしは、前記溝に嵌め込まれた前記杆体を介して連結されていることを特徴とする請求項１または２に記載の什器システム。
【発明の詳細な説明】
【技術分野】
【０００１】
本発明は、什器システムに関するものである。
【背景技術】
【０００２】
一般に、オフィスや公共施設等における空間では、施設内に形成された大空間の一部を小空間に区画することによって、空間利用における自由度を高めることが求められている。そこで、空間内に、間仕切り装置を設けることが広く行われている。
【０００３】
また、間仕切り装置に棚板を設けたものも知られている。例えば、床面から立設されたパネル板と、パネル板の支柱に設けたブラケットと、ブラケットの上部に設けられた棚板と、を備えたものが提案されている。この構成では、パネル板がブラケットを介して棚板を支持している（下記特許文献１，２参照）。
【先行技術文献】
【特許文献】
【０００４】
【特許文献１】実開昭６４−５０５０７号公報
【特許文献２】実開平３−８９６２６号公報
【発明の概要】
【発明が解決しようとする課題】
【０００５】
しかしながら、上記の特許文献１，２に記載の構成では、棚板が上下方向に複数設置される場合には、棚板を支持するブラケットが取り付けられる支柱の負荷が大きくなる。つまり、パネル板に対する負荷が大きくなるため、パネル板が棚板を安定的に支持することができなかったり、棚板や棚板に載置される物品の荷重によりパネル板が変形等する可能性がある。
【０００６】
また、棚板を支持する支持部材を棚板の下部に別に設けて強固な構成にしようとすると、例えば最上段棚板を使用する際に、最上段棚板の下部や他の棚板の下部に設けられた支持部材が邪魔になる可能性がある。
【０００７】
本発明は、上記事情に鑑みてなされたものであり、上下方向に複数設置された棚板を安定的に支持することができるとともに、棚板を使用する際に最上段棚板を支持する部材が支障にならない什器システムを提供するものである。
【課題を解決するための手段】
【０００８】
上記目的を達成するために、本発明は以下の手段を採用している。
すなわち、本発明に係る什器システムは、床面上に設置される間仕切り装置と、該間仕切り装置に上下方向に離間して設けられた複数段の支持ブラケットと、前記床面上に設置される支持体と、前記支持体及び各前記支持ブラケットに支持される複数段の棚板と、を備え、平面視において、前記棚板のうち最上段に設置される最上段棚板以外の棚板及び前記支持体は、前記最上段棚板と重なるように配置され、前記支持ブラケットは、前記支持体に連結され、前記間仕切り装置は、パネル状の基材、及び該基材の外周端部の少なくとも一部に沿って設けられ、該基材の内方に向けて凹んだ溝、を有したパネル体を備え、前記溝どうしを対向させて互いに隣接配置された二枚の前記パネル体において、前記溝内に配置され、上下方向に延びる杆体、をさらに備え、前記支持ブラケットは、前記杆体に連結され、該杆体から前記棚板側に延出していることを特徴とする。
【０００９】
このように構成された什器システムでは、棚板は、床面上に設置される間仕切り装置に設けられた支持ブラケットのみならず、床面上に設置される支持体にも支持されている。
よって、上下方向に複数設置された各棚板を安定的に支持することができる。
また、平面視において、最上段棚板以外の棚板及び支持体は、最上段棚板と重なるように配置されている。つまり、平面視において、最上段棚板以外の棚板及び支持体が最上段棚板の外側に突出しないとともに、最上段棚板上に支持体が存在しない。よって、最上段棚板を使用する際に、最上段棚板以外の棚板及び支持体が、最上段棚板に載置した物品へのアクセス時に支障になることがない。
また、支持ブラケットが支持体に連結されているため、支持ブラケット及び支持体の剛性を高めることができる。よって、棚板をより強固に支持することができる。また、支持ブラケットと支持体とは連結されて一体的に構成されているため、支持ブラケット及び支持体を設置する作業性を良好とすることができる。
また、杆体が、互いに隣接する一方の間仕切り装置の溝と他方の間仕切り装置の溝とに嵌め込まれる。これにより、互いに隣接する二枚の間仕切り装置から杆体が露出することを最小限に抑えることができる。
また、杆体、支持ブラケット及び支持体は、間仕切り装置とは別体であるため、間仕切り装置自体を軽量な構成とすることができる。
【００１６】
また、本発明に係る什器システムは、前記杆体の下部は、前記床面上に直接的または間接的に支持されていることが好ましい。
【００１７】
このように構成された什器システムでは、支持ブラケットが支持する棚板及び棚板に載置された物品の荷重は、杆体を介して直接的または間接的に床面に伝達される。よって、間仕切り装置自体が支持する荷重を軽減することができるため、間仕切り装置の強度を下げて、間仕切り装置を軽量化することができる。
【００１８】
また、本発明に係る什器システムは、互いに隣接する二枚の前記パネル体どうしは、前記溝に嵌め込まれた前記杆体を介して連結されていることが好ましい。
【００１９】
このように構成された什器システムでは、二枚の間仕切り装置の外周端部同士を強固に連結することができる。
【発明の効果】
【００２０】
本発明に係る什器システムによれば、上下方向に複数設置された棚板を安定的に支持することができるとともに、棚板を使用する際に棚板を支持する部材が支障にならない。
【図面の簡単な説明】
【００２１】
【図１】一実施形態における什器システムの一例を示す斜視図である。
【図２】一実施形態における什器システムの一例を示す側面図である。
【図３】パネル体の構成を示す斜視展開図である。
【図４】パネル体の板厚方向中間部における半断面図である。
【図５】パネル体の端部を示す上面図である。
【図６】パネル体の直線部の構造を示す断面図である。
【図７】パネル体のコーナー部の構造を示す断面図である。
【図８】基材の表面に沿って設けられたクッション材を示す断面図であり、（ａ）は表皮材を非装着の状態におけるクッション材の断面図、（ｂ）は表皮材を装着した状態におけるクッション材の断面図である。
【図９】パネル体の下部の角部に設けられた支持脚体、およびパネル体どうしの下部における連結構造の一例を示す斜視図である。
【図１０】パネル体どうしの下部における連結構造を示す断面図である。
【図１１】パネル体どうしの上部における連結構造の一例を示す斜視図である。
【図１２】パネル体どうしの連結部分の構造を示す断面図である。
【図１３】一実施形態における什器システムの正面図である。
【図１４】一実施形態における什器システムのパネル体と棚装置との連結構造のうち、隣接配置された複数のパネル体の端部周辺の断面図である。
【図１５】一実施形態における什器システムの棚板を支持する部材を示す（ａ）平面図、（ｂ）（ａ）におけるＡ１矢視図、（ｃ）（ａ）におけるＢ１矢視図である。
【図１６】一実施形態における什器システムのパネル体と棚装置との連結構造のうち、隣接配置された複数のパネル体の中間部の断面図である。
【図１７】一実施形態における什器システムの他の態様の支持ブラケット及び支持体を有する部材を示す（ａ）平面図、（ｂ）（ａ）におけるＡ２矢視図、（ｃ）（ａ）におけるＢ２矢視図である。
【発明を実施するための形態】
【００２２】
以下、本発明の実施形態について説明する。
図１は、本実施形態における什器システムの一例を示す斜視図である。図２は、本実施形態における什器システムの一例を示す側面図である。
図１，２に示すように、什器システム１は、間仕切り装置２と、間仕切り装置２に沿って設けられる棚ユニット３と、を備えている。
この什器システム１は、棚ユニット３の棚板に書籍等の物品が設置可能とされ、例えば図書コーナーとして使用される。
【００２３】
（間仕切り装置）
間仕切り装置２は、複数枚のパネル体１１が、棚ユニット３の後述する上棚板３０３、下棚板３０４等の外周端部に沿って配置されたものである。
なお、詳細については後述するが、互いに隣接するパネル体１１どうしは連結され、間仕切り装置２は棚ユニット３を支持している。
【００２４】
（パネル体）
図３は、パネル状の基材の構成を示す斜視展開図である。図４は、基材の板厚方向中間部における半断面図である。図５は、基材の端部を示す上面図である。図６は、基材の直線部の構造を示す断面図である。図７は、基材のコーナー部の構造を示す断面図である。
図３に示すように、パネル体１１は、パネル基材１２と、パネル基材１２の両面に沿って設けられたクッション材１３と、パネル基材１２およびクッション材１３を覆う表皮材１４と、固定部材３０と、を備えている。
【００２５】
パネル体１１は、設置する上棚板３０３、下棚板３０４（図１参照）の外周端部の形状に応じて、平面板状、あるいは側面視したときに、中間部で折曲または湾曲した略Ｌ字状、あるいは全体が湾曲した平面視Ｃ字状等とすることができる。
【００２６】
図１に示すように、本実施形態では、平面板状に形成されたパネル体１１Ｐが、Ｘ方向（＋Ｘと−Ｘとを結ぶ方向）に二枚隣接配置されている。また、平面板状に形成されたパネル体１１Ｐが、Ｘ方向と直交するＹ方向（＋Ｙと−Ｙとを結ぶ方向）に二枚隣接配置されている。また、Ｘ方向に沿って配置されたパネル体１１Ｐの−Ｘ側の端部と、Ｙ方向に沿って配置されたパネル体１１Ｐの＋Ｙ側の端部との間には、平面視において湾曲した湾曲形状に形成されたパネル体１１Ｑが配置されている。また、Ｙ方向に沿って配置されたパネル体１１Ｐの−Ｙ側の端部には、湾曲形状に形成されたパネル体１１Ｒが配置されている。以下においては、パネル体１１が平面板状であるものとして説明を行う。
【００２７】
（パネル基材）
パネル基材１２は、パネル状の芯材１５と、芯材１５の外周部に沿って設けられたフレーム２０と、芯材１５およびフレーム２０の両面を覆うように設けられたベースシート１８と、を備えている。
【００２８】
芯材１５は、例えば紙系材料、樹脂系材料、木質系材料等から形成されている。この芯材１５は、なるべく軽量とするのが好ましい。そこで、本実施形態では、芯材１５は、紙系材料から形成され、板厚方向に貫通する孔１５ｈが多数並設された、例えば断面六角形状の複数の孔１５ｈが千鳥状に組み合わされたハニカム構造とされている。
【００２９】
（フレーム）
図３、図４に示すように、この芯材１５の外周部には、フレーム２０が設けられている。フレーム２０は、芯材１５の四辺に沿って設けられた枠材２１Ａ，２１Ｂ，２１Ｃ，２１Ｄを備えている。各枠材２１Ａ，２１Ｂ，２１Ｄ，２１Ｄは、金属系材料、樹脂系材料等から形成されている。
枠材２１Ａ，２１Ｂは、芯材１５において互いに対向する２辺に沿って上下方向に延在し、パネル体１１の幅方向両側に設けられている。枠材２１Ｃ，２１Ｄは、枠材２１Ａ，２１Ｂに直交して横方向に延在し、パネル体１１の上下方向両側に設けられている。これら枠材２１Ａ，２１Ｂと枠材２１Ｃ，２１Ｄとは、Ｌ字状のブラケット２２を介し、ボルト２３、あるいは溶接、接着等によって接合されている。これら枠材２１Ａ，２１Ｂ，２１Ｃ，２１Ｄによって、全体として矩形状をなしたフレーム２０が形成されている。
【００３０】
図５〜図７に示すように、各枠材２１Ａ，２１Ｂ，２１Ｃ，２１Ｄは、フレーム２０の内周側の芯材１５の外周端面１５ａに対向する基部２１ｅと、基部２１ｅの幅方向両側からそれぞれフレーム２０の外周側に向けて立ち上がる側壁部２１ｆと、からなる、断面略Ｕ字状に形成されている。これにより、基部２１ｅと、両側の側壁部２１ｆ，２１ｆとに囲まれた部分は、溝２５とされている。
このようにして、パネル基材１２は、その外周端部に沿って連続し、パネル基材１２の内方に向けて凹んだ溝２５を有している。
【００３１】
ここで、図４に示すように、Ｌ字状のブラケット２２は、枠材２１Ａまたは２１Ｂに沿って枠材２１Ａまたは２１Ｂの端部に設けられる第一プレート部２２ａと、第一プレート部２２ａに直交し、枠材２１Ｃまたは２１Ｄに沿って枠材２１Ｃまたは２１Ｄの端部に設けられる第二プレート部２２ｂと、第一プレート部２２ａおよび第二プレート部２２ｂに沿ってＬ字状のブラケット２２の屈曲方向内側に設けられたリブ部２２ｃとが一体に形成されている。
【００３２】
Ｌ字状のブラケット２２の第一プレート部２２ａ、第二プレート部２２ｂには、雌ネジ部２９が形成されている。またブラケット２２の第一プレート部２２ａに沿う枠材２１Ａまたは２１Ｂの基部２１ｅと、第二プレート部２２ｂに沿う枠材２１Ｃまたは２１Ｄの基部２１ｅには、それぞれ、雌ネジ部２９に対向した位置に、貫通孔２８が形成されている。
【００３３】
リブ部２２ｃは、第一プレート部２２ａおよび第二プレート部２２ｂから、第一プレート部２２ａおよび第二プレート部２２ｂに直交して、パネル体１１の内周側に向けて突出形成されている。このリブ部２２ｃは、第一プレート部２２ａおよび第二プレート部２２ｂの幅方向両側、つまり、パネル体１１の一面側と他面側とにそれぞれ形成されている。このリブ部２２ｃは、第一プレート部２２ａおよび第二プレート部２２ｂの曲げ強度を高める補強部材として機能するだけでなく、芯材１５の角部の押さえ部材としても機能することができる。すなわち、パネル基材１２の一面側と他面側にそれぞれ設けられたリブ部２２ｃの間に芯材１５が挟み込まれる。パネル基材１２においては、四隅にこのようなブラケット２２が設けられることにより、芯材１５をフレーム２０の内側に保持できるようになっている。
【００３４】
なおここで、図３では、平面板状のパネル体１１の例を示したが、パネル体１１が平面視において略Ｌ字状、略Ｃ字状等に湾曲形成された構成の場合には、フレーム２０の上下の枠材２１Ｃ，２１Ｄまたは左右の枠材２１Ａ，２１Ｂを，パネル体１１の形状に合わせて湾曲させる。
【００３５】
図６、図７に示すように、フレーム２０および芯材１５を覆うように、芯材１５の両面には、シート状のベースシート１８が設けられている。ベースシート１８は、例えばボール紙等から形成されている。このベースシート１８は、芯材１５よりも外形寸法が大きく、その外周部１８ａがフレーム２０の表面２０ｆに接着剤等により接着されている。
【００３６】
（クッション材）
クッション材１３は、パネル基材１２の表面を形成するベースシート１８に沿って設けられている。クッション材１３は、ベースシート１８を介して、芯材１５の全体を覆うように設けられている。さらに、クッション材１３は、その外周端部１３ｓが、フレーム２０を構成する各枠材２１Ａ，２１Ｂ，２１Ｃ，２１Ｄの側壁部２１ｆを覆うように設けられている。つまり、クッション材１３は、芯材１５およびフレーム２０を覆うように設けられている。
このクッション材１３は、柔軟性および弾性を有した材料、例えば発泡ウレタン材等から形成されている。
【００３７】
図８は、パネル基材１２の表面に沿って設けられたクッション材１３を示す断面図であり、（ａ）は表皮材１４を非装着の状態におけるクッション材１３の断面図、（ｂ）は表皮材１４を装着した状態におけるクッション材１３の断面図である。
図３に示すように、クッション材１３には、複数の貫通孔１６が形成されている。貫通孔１６は、例えば、上下方向を長軸方向とした長円形状とされている。そして、クッション材１３の外表面１３ｆには、複数の貫通孔１６が、上下方向および上下方向に直交する横方向に、間隔を空けて配列されている。
【００３８】
図６、図８に示すように、各貫通孔１６は、クッション材１３においてパネル基材１２とは反対側を向く外表面１３ｆからパネル基材１２側に対向する対向面１３ｇまで、クッション材１３の厚さ方向に貫通して形成されている。図８（ａ）に示すように、各貫通孔１６は、その内周面１６ｆが外表面１３ｆと直交して形成されている。これにより、貫通孔１６の周縁に角部１６ｖが形成されている。
このような貫通孔１６が形成されたクッション材１３をパネル基材１２の表面に設けることで、パネル基材１２の表面に角部１６ｖを有する凹凸形状が形成される。
【００３９】
（表皮材）
図６、図８に示すように、表皮材１４は、クッション材１３の全体を覆うよう設けられている。表皮材１４は、クッション材１３の外表面１３ｆと、貫通孔１６において外表面１３ｆに直交する内周面１６ｆと、貫通孔１６の底部に露出するベースシート１８の露出面１８ｆとに沿うよう、接着されている。このようにして、表皮材１４が、クッション材１３に形成された複数の貫通孔１６に沿うことで、パネル体１１の表面には、複数の長円形状の凹部１７が形成されている。そして、各凹部１７において、表皮材１４は、貫通孔１６を通して、パネル基材１２の表面を形成するベースシート１８に接着されている。
ここで、表皮材１４は、例えばポリエステル等、弾性変形可能な材質で形成され、伸長した状態でクッション材１３及びパネル基材１２を覆っている。クッション材１３は、外表面１３ｆ側の貫通孔１６の周縁において外方に向けて凸となる角部１６ｖが、表皮材１４によって内方に向けて押圧される。これにより、クッション材１３は、角部１６ｖにおいて圧縮方向に弾性変形し、貫通孔１６の角部１６ｖは、円弧状断面とされている。
これにより、表皮材１４が角部１６ｖに突き当たった部分で角部１６ｖの反発力によって押圧される。したがって、凹部１７の形状が維持されるとともに、表皮材１４がクッション材１３の外表面１３ｆに沿った方向で図８（ｂ）中に矢印Ｔで示す方向に伸長され、表皮材１４が弛むのを抑えることができる。
【００４０】
また、図６、図７に示すように、クッション材１３および表皮材１４は、パネル基材１２よりも大きな外形寸法を有している。そして、クッション材１３および表皮材１４は、その外周端部１３ｅ，１４ｅが、パネル基材１２の外周縁部、つまり各枠材２１Ａ，２１Ｂ，２１Ｃ，２１Ｄの側壁部２１ｆを回り込んで、溝２５内側に巻き込まれている。このクッション材１３および表皮材１４の外周端部１３ｅ，１４ｅが、各枠材２１Ａ，２１Ｂ，２１Ｃ，２１Ｄの側壁部２１ｆを回り込む部分で、クッション材１３が表皮材１４によって圧縮される。これにより、パネル体１１は、外周端部１１ｓに向かうにしたがって、その厚みが漸次小さくするように形成されている。また、パネル体１１は、外周端部１１ｓにおいてクッション材１３および表皮材１４が各枠材２１Ａ，２１Ｂ，２１Ｃ，２１Ｄの側壁部２１ｆを回り込む部分で、丸く円弧状に形成されている。
このように、クッション材１３および表皮材１４の縁部のうち芯材１５の外周面側に配置される部分は、芯材１５の外周端面（縁部）１５ａよりも外方に向かって突出する突出部１３ｔ，１４ｔとされている。
【００４１】
（固定部材）
固定部材３０は、溝２５に嵌め込まれている。固定部材３０は、溝２５内側に巻き込まれたクッション材１３および表皮材１４の外周端部１３ｅ，１４ｅを、溝２５の内周面と固定部材３０の外周面との間に挟み込んでいる。これにより、クッション材１３および表皮材１４の外周端部１３ｅ，１４ｅをフレーム２０の側壁部２１ｆに固定している。
【００４２】
ここで、図３に示すように、固定部材３０は、矩形状のパネル基材１２の外周部の直線部分１２Ｓに配置される直線部固定部材３０Ｓと、矩形状のパネル基材１２の外周部のコーナー部１２Ｃに配置されるコーナー部固定部材３０Ｃと、を備えている。
【００４３】
図６に示すように、直線部固定部材３０Ｓは、直線部固定部材３０Ｓが連続する方向に直交する断面形状が、互いに平行に位置する側部プレート部３１，３１と、側部プレート部３１，３１どうしを一体に連結する連結プレート部３２と、を備えている。
【００４４】
側部プレート部３１，３１は、フレーム２０の溝２５を形成する側壁部２１ｆとの間に、クッション材１３および表皮材１４の外周端部１３ｅ，１４ｅを挟み込む。このため、側部プレート部３１，３１の間隔は、溝２５の側壁部２１ｆ，２１ｆの間隔よりも所定寸法小さく形成されている。これら側部プレート部３１，３１は、直線部固定部材３０Ｓを溝２５内に嵌め込んだときに、先端部３１ａ，３１ａが溝２５の基部２１ｅに突き当たるよう形成されている。
【００４５】
連結プレート部３２は、側部プレート部３１，３１の先端部３１ａ，３１ａよりも、溝２５の基部２１ｅから離間する方向にオフセットして形成されている。これにより、直線部固定部材３０Ｓは、側部プレート部３１，３１と連結プレート部３２とにより、断面略Ｈ字状をなしている。そして、直線部固定部材３０Ｓは、溝２５内に嵌め込んだ状態で、側部プレート部３１，３１の先端部３１ａ，３１ａ側と、連結プレート部３２と、溝２５の基部２１ｅとに囲まれた部分に、空間Ｓ１が形成されるようになっている。この空間Ｓ１は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たった部分よりも先端部分（不図示）を収容できる収容空間として機能する。
【００４６】
また、側部プレート部３１，３１において、溝２５の側壁部２１ｆ，２１ｆに対向する側には、突起３３，３３が形成されている。この突起３３，３３は、側部プレート部３１，３１と側壁部２１ｆ，２１ｆとの間に挟み込まれたクッション材１３および表皮材１４の外周端部１３ｅ，１４ｅに食い込むようになっている。これにより、直線部固定部材３０Ｓは、クッション材１３および表皮材１４が溝２５から抜け出ることを防止している。
【００４７】
さらに、側部プレート部３１，３１において、連結プレート部３２よりも溝２５の基部２１ｅから離間する側には、側部プレート部３１，３１から内方に向けて突出する突条３４，３４が形成されている。そして、これら突条３４，３４と、側部プレート部３１，３１と、連結プレート部３２とに囲まれて、オプション部材等を装着するための保持溝３５が形成されている。
【００４８】
図４に示すように、パネル体１１の上部のコーナー部に配置されるコーナー部固定部材３０Ｃは、上下方向に延びる第一直線状部３８Ａと、第一直線状部３８Ａの上端から屈曲して横方向に延びる第二直線状部３８Ｂとから、略Ｌ字状に形成されている。
第一直線状部３８Ａは、上下方向に延びる枠材２１Ａまたは枠材２１Ｂの上端部において溝２５内に嵌め込まれる。第二直線状部３８Ｂは、第一直線状部３８Ａの一端から連続して形成され、横方向に延びる枠材２１Ｃまたは枠材２１Ｄの両端部において溝２５内に嵌め込まれる。
【００４９】
図７に示すように、第一直線状部３８Ａ、第二直線状部３８Ｂは、それぞれが連続する方向に直交する断面形状が、互いに平行に位置する側部プレート部３６，３６と、側部プレート部３６，３６どうしを一体に連結する連結プレート部３７と、を備えている。
【００５０】
側部プレート部３６，３６は、フレーム２０の溝２５を形成する側壁部２１ｆ，２１ｆとの間に、クッション材１３および表皮材１４の外周端部１３ｅ，１４ｅを挟み込む。このため、側部プレート部３６，３６の間隔は、溝２５の側壁部２１ｆ，２１ｆの間隔よりも所定寸法小さく形成されている。これら側部プレート部３６，３６は、コーナー部固定部材３０Ｃを溝２５内に嵌め込んだときに、先端部３６ａ，３６ａが溝２５の基部２１ｅに突き当たるよう形成されている。
ここで、側部プレート部３６，３６において、溝２５の側壁部２１ｆ，２１ｆに対向する側に、凸部３６ｔ，３６ｔが形成されている。この凸部３６ｔ，３６ｔは、側部プレート部３１，３１と側壁部２１ｆ，２１ｆとの間にクッション材１３および表皮材１４の外周端部１３ｅ，１４ｅを挟み込むようになっている。
【００５１】
連結プレート部３７は、側部プレート部３６，３６の先端部３６ａ，３６ａよりも、溝２５の基部２１ｅから離間する方向にオフセットして形成されている。これにより、コーナー部固定部材３０Ｃは、側部プレート部３６，３６と連結プレート部３７により、断面略Ｈ字状をなしている。そして、直線部固定部材３０Ｓは、溝２５内に嵌め込んだ状態で、側部プレート部３６，３６の先端部３６ａ，３６ａ側と、連結プレート部３７と、溝２５の基部２１ｅとに囲まれた部分に、空間Ｓ２が形成されるようになっている。この空間Ｓ２は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たって部分よりも先端部分（不図示）を収容できる収容空間として機能する。なおここで、連結プレート部３７は、直線部固定部材３０Ｓにおける連結プレート部３２よりも基部２１ｅに近く、空間Ｓ２は、空間Ｓ１よりも小さく形成されている。
【００５２】
図４に示すように、このようなコーナー部固定部材３０Ｃは、溝２５に対し、コーナーキャップ４０によって固定されている。コーナーキャップ４０は、第一直線状部４１Ａと、第一直線状部４１Ａの一端に連続し、第一直線状部４１Ａに直交して延びる第二直線状部４１Ｂとからなる略Ｌ字状をなしている。図７に示すように、これら第一直線状部４１Ａ,第二直線状部４１Ｂは、コーナー部固定部材３０Ｃの第一直線状部３８Ａ，第二直線状部３８Ｂに対し、側部プレート部３６，３６との間に挿入され、連結プレート部３７に突き当てられている。
そして、図４に示すように、第一直線状部４１Ａの下端部には、突起片４３が下方に向けて突出形成されている。この突起片４３が、直線部固定部材３０Ｓの上端部において、連結プレート部３２と突条３４との間の保持溝３５（図６参照）に挿入されている。
また、図４に示すように、第二直線状部４１Ｂには、ボルト４５を挿入するボルト挿通孔４４が形成されている。このボルト挿通孔４４に挿通させたボルト４５により、コーナーキャップ４０と、コーナー部固定部材３０Ｃ、枠材２１Ｃ、ブラケット２２の第二プレート部２２ｂが一体に締結されている。
【００５３】
（支持脚体）
図４に示すように、上記したようなパネル体１１の下部のコーナー部には、コーナー部固定部材３０Ｃとして、支持脚体５０が設けられている。この支持脚体５０は、床面に接地することで、パネル体１１を床面上に立設させる。
支持脚体５０は、フレーム２０の下部端部の溝２５内に収容される下部支持部５１と、下部支持部５１の一端から上方に延び、フレーム２０の側部の下端部の溝２５内に収容される側部支持部５２と、下部支持部５１よりも下方に延びる支持脚部５３と、を一体に備えている。
【００５４】
下部支持部５１はフレーム２０の下端部の溝２５の底面を形成する基部２１ｅに突き当てて固定されている。また、側部支持部５２は、フレーム２０の側端部の溝２５の底面を形成する基部２１ｅに突き当てて固定されている。
下部支持部５１および側部支持部５２には、ボルト４８が挿通されるボルト挿通孔５４が形成されている。このボルト挿通孔５４に挿通されるボルト４８は、溝２５の基部２１ｅの所定の位置に形成された雌ネジ孔部２９にねじ込まれるようになっている。これにより、支持脚体５０が、パネル体１１に固定される。
【００５５】
支持脚部５３は、下部支持部５１よりも下方に延び、その下端部に、高さ調整ネジ４９がねじ込み可能とされている。
【００５６】
（パネル体どうしの連結構造）
図９は、パネル体１１の下部の角部に設けられた支持脚体５０、およびパネル体１１，１１どうしの下部における連結構造の一例を示す斜視図である。図１０は、パネル体１１，１１どうしの下部における連結構造を示す断面図である。
図９、図１０に示すように、支持脚体５０には、隣接して配置される他のパネル体１１と連結するための下側連結部５５の一端が係止可能とされている。このため、支持脚体５０には、下部支持部５１よりも下方に膨出した膨出部５６が一体に形成されている。
【００５７】
そして、この膨出部５６には、パネル体１１の厚さ方向に沿った支持脚体５０の中間部に、プレート状の下側連結部５５の一端が挿入可能なスリット５７が形成されている。スリット５７は、膨出部５６において他方のパネル体１１に隣接する側の側面５６ａおよび下面５６ｂに開口している。
図１０に示すように、スリット５７の上部には、後述する下側連結部５５の突起部５８Ａが挿入される挿入凹部５７ａが、上方に向けて凹んで形成されている。そして、スリット５７の上部において、膨出部５６の側面５６ａ側には、挿入凹部５７ａに隣接して、下方に向けて突出する突起部５７ｂが形成されている。
【００５８】
また、膨出部５６には、スリット５７内に挿入された下側連結部５５を係止するための、係止孔５６ｈが、パネル体１１の厚さ方向に沿って貫通形成されている。
【００５９】
下側連結部５５は、両端部にそれぞれ貫通孔５５ｈが形成されている。また、下側連結部５５の両端部には、それぞれ、上方に向けて突出する突起部５８Ａが形成されている。また、下側連結部５５には、両端部の突起部５８Ａ，５８Ａの間に、上方に向けて突出する中央突起部５８Ｂが形成されている。そして、中央突起部５８Ｂと、その両側の突起部５８Ａとの間には、下方に向けて凹となる係合凹部５８Ｃが形成されている。
【００６０】
突起部５７ｂおよび係合凹部５８Ｃは、膨出部５６の側面５６ａ側、中央突起部５８Ｂ側が、上下方向に延在する鉛直面５７ｆ、５８ｆとされ、その反対側が、上方に行くにしたがい鉛直面５７ｆ、５８ｆから離間する傾斜面５７ｇ、５８ｇとされている。これにより、突起部５７ｂおよび係合凹部５８Ｃは、いずれも下方に行くにしたがいその幅寸法が漸次小さくなるテーパ状をなしている。
この係合凹部５８Ｃに、スリット５７の突起部５７ｂが嵌め込まれることで、下側連結部５５と支持脚体５０とを、パネル体１１，１１が隣り合う方向において、容易に位置決めできるようになっている。
【００６１】
互いに隣接するパネル体１１，１１どうしを連結するには、貫通孔５５ｈが形成された下側連結部５５の両端部を、支持脚体５０のスリット５７に挿入する。下側連結部５５の両端部の係合凹部５８Ｃに、それぞれ、両側のパネル体１１に設けられた支持脚体５０の突起部５７ｂを嵌め込む。ここで、突起部５７ｂおよび係合凹部５８Ｃは、いずれも下方に行くにしたがいその幅寸法が漸次小さくなるテーパ状をなしている。したがって、係合凹部５８Ｃに突起部５７ｂが挿入されることで、下側連結部５５と支持脚体５０とが、パネル体１１，１１が隣り合う方向において互いに位置決めされる。これにより、下側連結部５５に形成された両端部の貫通孔５５ｈと、支持脚体５０の係止孔５６ｈとが連通する。そこで、これら貫通孔５５ｈ及び係止孔５６ｈに連結ボルト５９を挿通・締結させる。このように、下側連結部５５が互いに隣接する１１，１１の支持脚体５０，５０どうしを連結することによって、パネル体１１，１１どうしが下端部で連結される。
これら支持脚体５０，５０と、下側連結部５５とが、隣接するパネル体１１の下端部どうしを連結する下側連結部を構成している。
【００６２】
図１１は、パネル体１１，１１どうしの上部における連結構造の一例を示す斜視図である。
この図１１に示すように、互いに隣接するパネル体１１，１１どうしは、それぞれの上端部どうしを、上側連結部６１によって連結することができる。
この上側連結部６１は、コーナーキャップ４０に代えて、コーナー部固定部材３０Ｃに取り付けられる。上側連結部６１の両端部６１ａ，６１ａには、ボルト挿通孔６２が形成されている。
また、上側連結部６１の中間部６１ｂの下面側には、互いに隣接するパネル体１１，１１の上部に配置されたコーナー部固定部材３０Ｃ．３０Ｃの間隔を規制する間隔規制部６３が下方に向けて突出形成されている。間隔規制部６３が、互いに隣接するパネル体１１，１１の上部に配置されたコーナー部固定部材３０Ｃ，３０Ｃの間に挿入されることで、パネル体１１，１１どうしの間隔を規制することができる。
このような上側連結部６１によって、互いに隣接するパネル体１１，１１の上端部どうしを連結するには、以下のようにする。
まず、上側連結部６１を、互いに隣接するパネル体１１，１１の上部に配置されたコーナー部固定部材３０Ｃ．３０Ｃ上に載せる。このとき、上側連結部６１の両端部６１ａ，６１ａの下面が、コーナー部固定部材３０Ｃの第二直線状部３８Ｂに対し、側部プレート部３６，３６との間に挿入され、連結プレート部３７に突き当てられている。そして、間隔規制部６３が、互いに隣接するパネル体１１，１１の上部に配置されたコーナー部固定部材３０Ｃ，３０Ｃの間に挿入されることで、パネル体１１，１１どうしの間隔を規制することができる。より具体的には、間隔規制部６３の両側面６３ａ，６３ａに、コーナー部固定部材３０Ｃの第一直線状部３８Ａの連結プレート部３７に突き当てることで、パネル体１１，１１どうしの間隔を適正に位置決めできる。この状態で、ボルト挿通孔６２に挿通させたボルト６４により、上側連結部６１と、コーナー部固定部材３０Ｃ、枠材２１Ｃ（図４参照）、ブラケット２２の第二プレート部２２ｂ（図４参照）を一体に締結する。これによって、互いに隣接するパネル体１１，１１の上端部どうしが連結される。
このように、下側連結部５５と上側連結部６１により、パネル体１１どうしを固定する連結部材が構成されている。
また、一のパネル体１１と下側連結部５５及び上側連結部６１とにより、他のパネル体１１に連結可能なパネルユニットが構成されている。
【００６３】
図１２は、パネル体１１，１１どうしの連結部分の構造を示す断面図である。
図１２に示すように、一のパネル体１１の外周端部１１ｓと、他のパネル体１１の芯材１５の外周端面１５ａとは、距離を保持した状態で、パネル体１１，１１どうしは固定されている。一方で、パネル体１１の芯材１５の外周端面１５ａよりも外方に突出するクッション材１３，１３の突出部１３ｔ，１３ｔどうしは、表皮材１４，１４の突出部１４ｔ，１４ｔを介在させて当接している。クッション材１３，１３の突出部１３ｔ，１３ｔどうしは互いに対向方向に押圧し合い、突出部１３ｔ，１３ｔの先端部分は丸くなるように弾性変形している。これにより、当接している突出部１３ｔ，１３ｔの当接面積は大きくなる。
【００６４】
（棚ユニット）
図１，２に示すように、棚ユニット３は、隣接配置された二枚のパネル体１１Ｐ，１１Ｐに沿って配置された第一棚装置（棚装置）３Ａと、パネル体１１Ｑに沿って配置された第二棚装置３Ｂと、パネル体１１Ｒに沿って配置された第三棚装置３Ｃと、を有している。
【００６５】
図１３は、什器システム１の正面図である。図１４は、什器システム１のパネル体１１Ｐと第一棚装置３Ａとの連結構造のうち、隣接配置された複数のパネル体１１Ｐの端部周辺の断面図である。図１５は、什器システム１の棚板を支持する部材を示す（ａ）平面図、（ｂ）（ａ）におけるＡ１矢視図、（ｃ）（ａ）におけるＢ１矢視図である。図１６は、什器システム１のパネル体１１Ｐと第一棚装置３Ａとの連結構造のうち、隣接配置された複数のパネル体１１Ｐの中間部の断面図である。図１７は、什器システム１の支持ブラケット及び支持体を有する部材（センター脚）を示す（ａ）平面図、（ｂ）（ａ）におけるＡ２矢視図、（ｃ）（ａ）におけるＢ２矢視図である。なお、図１７において、センター脚の下端には下側連結部５５が設けられている。
図１に示すように、第一棚装置３Ａは、床面から立設されたエンド脚３１０及びセンター脚３２０と、エンド脚３１０及びセンター脚３２０に支持された上棚板３０３、下棚板３０４（複数段の棚板）と、を有している。
【００６６】
図１３〜１５に示すように、エンド脚３１０は、床面から立設された第一エンド脚部３１１及び第二エンド脚部３１２と、第一エンド脚部３１１と第二エンド脚部３１２とを連結するエンドブラケット３１３と、を有している。これら第一エンド脚部３１１、第二エンド脚部３１２及びエンドブラケット３１３は、溶接等により接合され一体的に構成されている。
【００６７】
第一エンド脚部３１１及び第二エンド脚部３１２は、断面環状に形成された管状部材である。第一エンド脚部３１１は、第一棚装置３Ａの奥行方向の一方側（パネル体１１Ｐ側）に配置されている。第二エンド脚部３１２は、第一棚装置３Ａの奥行方向の他方側（パネル体１１Ｐと反対側）に配置されている。
ここで、第一棚装置３Ａの奥行方向のうち一方側（パネル体１１Ｐ側）を奥側と称し、他方側（パネル体１１Ｐと反対側）を手前側と称する。
【００６８】
第二エンド脚部３１２は、第一エンド脚部３１１よりも第一棚装置３Ａの幅方向中央側に配置されている。第一エンド脚部３１１及び第二エンド脚部３１２において、第一エンド脚部３１１が奥行方向奥側に配置され、第二エンド脚部３１２が奥行方向手前側に配置されている。第一エンド脚部３１１は、パネル体１１Ｐと奥行方向に離間して配置されている。
【００６９】
第一エンド脚部３１１及び第二エンド脚部３１２の下端には、高さ調整可能なアジャスタ―３１０Ａが設けられている。
【００７０】
エンドブラケット３１３は、上下方向に離間して二個設けられている。上側に配置されたエンドブラケット３１３は、第一エンド脚部３１１の上端と第二エンド脚部３１２の上端とを連結している。下側に配置されたエンドブラケット３１３は、第一エンド脚部３１１の上下方向中間部と第二エンド脚部３１２の上下方向中間部とを連結している。
【００７１】
各エンドブラケット３１３は、第一エンド脚部３１１と第二エンド脚部３１２とを連結する連結板部３１３Ａと、連結板部３１３Ａの上端からパネル体１１Ｐの幅方向中央側に折曲された支持板部３１３Ｂと、を有している。
【００７２】
連結板部３１３Ａ及び支持板部３１３Ｂは、板状に形成されている。連結板部３１３Ａは、上下方向及び第一棚装置３Ａの奥行方向に沿って配置されている。支持板部３１３Ｂは、水平方向及び第一棚装置３Ａの奥行方向に沿って配置されている。
【００７３】
各支持板部３１３Ｂには、対応する上棚板３０３または下棚板３０４を取り付けるための取付孔３１３Ｘが形成されている。取付孔３１３Ｘは、第一棚装置３Ａの奥行方向に離間して二個設けられている。
【００７４】
図１６，１７に示すように、センター脚３２０は、パネル体１１Ｐの対向する端部の間に配置された管状材（杆体）３２１と、床面から立設されたセンター脚部（支持体）３２２と、管状材３２１とセンター脚部３２２とを連結するセンターブラケット（支持ブラケット）３２３と、を有している。これら管状材３２１、センター脚部３２２及びセンターブラケット３２３は、溶接等により接合され一体的に構成されている。
【００７５】
管状材３２１は、断面矩形に形成された管状部材である。管状材３２１は、床面から上方に延びている。
【００７６】
管状材３２１は、パネル体１１Ｐ，１１Ｐどうしの連結部分において、互いに隣接する一方のパネル体１１Ｐの溝２５と他方のパネル体１１Ｐの溝２５とに沿った方向に延び、これらの溝２５，２５内に配置されている。例えば、隣接するパネル体１１Ｐ，１１Ｐの溝２５，２５にそれぞれ設けられた直線部固定部材３０Ｓの突条３４，３４及び側部プレート部３１，３１の間に嵌め込まれている。
【００７７】
管状材３２１には、例えば上端部及び上下方向中間部等に、例えば樹脂等により形成されたスペーサ３２１Ａが装着されている。スペーサ３２１Ａは、管状材３２１と、その両側の突条３４，３４及び側部プレート部３１，３１との間にそれぞれ介装されている。
このスペーサ３２１Ａにより、溝２５内における管状材３２１のガタつきを抑えるとともに、管状材３２１と溝２５との嵌め合いがきつくなっている。
【００７８】
このようにして、管状材３２１が、互いに隣接する一方のパネル体１１Ｐの溝２５と他方のパネル体１１Ｐの溝２５とに嵌め込まれることによって、パネル体１１Ｐ，１１Ｐどうしを連結している。
【００７９】
管状材３２１の下端部３２１Ｂは、パネル体１１Ｐ，１１Ｐの下部どうし連結するための下側連結部５５の中央突起部５８Ｂに連結されている。この下側連結部５５は、両側のパネル体１１Ｐ，１１Ｐにそれぞれ設けられた支持脚体５０（図１０参照。以下同じ。）に連結されている。したがって、管状材３２１は、支持脚体５０を介して床面上に間接的に支持されている。
【００８０】
センター脚部３２２は、断面環状に形成された管状部材である。センター脚部３２２は、管状材３２１よりも第一棚装置３Ａの奥行方向手前側に配置されている。
【００８１】
センター脚部３２２の下端には、高さ調整可能なアジャスタ―３２２Ａが設けられている。
【００８２】
センターブラケット３２３は、上下方向に離間して２個設けられている。上側に配置されたセンターブラケット３２３は、管状材３２１の上端とセンター脚部３２２の上端とを連結している。下側に配置されたセンターブラケット３２３は、管状材３２１の上下方向中間部とセンター脚部３２２の上下方向中間部とを連結している。
【００８３】
センターブラケット３２３は、管状材３２１から第一棚装置３Ａの手前側に延出して設けられている。センターブラケット３２３は、管状材３２１とセンター脚部３２２とを連結する連結板部３２３Ａと、連結板部３２３Ａの上端から両側方にそれぞれ折曲された支持板部３２３Ｂと、を有している。
【００８４】
連結板部３２３Ａ及び支持板部３２３Ｂは、板状に形成されている。連結板部３２３Ａは、上下方向及び第一棚装置３Ａの奥行方向に沿って配置されている。支持板部３２３Ｂは、水平方向及び第一棚装置３Ａの奥行方向に沿って配置されている。
【００８５】
支持板部３２３Ｂには、対応する上棚板３０３または下棚板３０４を取り付けるための取付孔３２３Ｘが形成されている。取付孔３２３Ｘは、第一棚装置３Ａの奥行方向及び幅方向に離間して四個設けられている。
【００８６】
このようにセンターブラケット３２３は、管状材３２１に連結されている。また、管状材３２１は、下側連結部５５及び支持脚体５０を介してパネル体１１Ｐに連結されている。このようにして、センターブラケット３２３は、パネル体１１Ｐに支持されている。
【００８７】
上棚板（最上段棚板）３０３は、エンド脚３１０及びセンター脚３２０の上端に支持されている。下棚板３０４は、エンド脚３１０及びセンター脚３２０の上下方向中間部に支持されている。
【００８８】
エンド脚３１０の支持板部３１３Ｂに形成された取付孔３１３Ｘ及びセンター脚３２０の支持板部３２３Ｂに形成された取付孔３２３Ｘに挿通された螺子（不図示）は、上棚板３０３、下棚板３０４にそれぞれ螺合されている。これにより、上棚板３０３、下棚板３０４は、エンド脚３１０の上部及びセンター脚３２０に支持されている。
【００８９】
図１４，１６に示すように、平面視において、エンド脚３１０、センター脚３２０及び下棚板３０４は、上棚板３０３に重なるように配置されている。つまり、平面視において、エンド脚３１０、センター脚３２０及び下棚板３０４は、上棚板３０３の外側に突出していない。
【００９０】
また、下棚板３０４は、エンド脚３１０の第二エンド脚部３１２及びセンター脚３２０のセンター脚部３２２よりも、奥行方向奥側に配置されている。本実施形態では、下棚板３０４は、エンド脚３１０の第二エンド脚部３１２の後面（奥側の端面）３１２Ｂ及びセンター脚３２０のセンター脚部３２２の後面（奥側の端面）３２２Ｂに当接配置されている。
【００９１】
また、図１，図１６に示すように、棚板３０３，３０４は、それぞれ幅方向に分割された二枚の板状部材３０３Ｐ，３０４Ｐが、センター脚３２０のセンターブラケット３２３で連結された構成とされている。なお、棚板３０３，３０４が、一方のエンド脚３１０から他方のエンド脚３１０まで延びる一枚の板状部材で構成されていてもよい。
【００９２】
図１３，１４に示すようにまた、棚板３０３，３０４とパネル体１１とは、エンド係止金具３５０を介して連結されている。
【００９３】
エンド係止金具３５０は、Ｘ方向に配置されたパネル体１１Ｐの＋Ｘ側の端部に設けられている。エンド係止金具３５０は、上棚板３０３の直下と、下棚板３０４の直下との二カ所に設けられている。
【００９４】
エンド係止金具３５０は、直線部固定部材３０Ｓの突条３４に沿って配置される突起係合部３５１と、突起係合部３５１の端部から屈曲し一の突条３４Ａ（３４）における他の突条３４Ｂ（３４）に対向する側に沿って配置される側壁部３５２とを有している。さらに、エンド係止金具３５０は、側壁部３５２の端部から第一棚装置３Ａが奥行方向手前側に向かって屈曲して延びる湾曲壁部３５３と、湾曲壁部３５３の端部に連続して延びる延出壁部３５４と、延出壁部３５４の上端から奥行方向手前側に延びる取付壁部３５５とを有している。
【００９５】
突起係合部３５１は、他の突条３４Ｂにおける溝２５の基部２１ｅを向く面に沿って配置されている。また、突起係合部３５１の端部は、他の突条３４Ｂが設けられた側の側部プレート部３１Ｂに突き当たっている。
【００９６】
湾曲壁部３５３は、パネル体１１Ｐの外周端部１３ｓに沿って配置されている。また、延出壁部３５４は、パネル体１１Ｐのカウンター２００が配置される側の表皮材１４に沿って配置されている。
【００９７】
側壁部３５２において、一の突条３４Ａが設けられた側の側部プレート部３１Ａを向く面には、緩衝部３５２Ａが設けられている。緩衝部３５２Ａは、側部プレート部３１Ａに向かって凸となる形状とされるとともに、側部プレート部３１Ａに当接している。緩衝部３５２Ａとして、ゴム等の樹脂を採用することができる。ここで、エンド係止金具３５０に対して奥行方向手前側への力が作用した場合には、側壁部３５２には緩衝部３５２Ａがあるため、側壁部３５２の側部プレート部３１Ａへの接触、衝突を抑制することができる。これにより、側壁部３５２及び側部プレート部３１Ａの破損が抑制される。
【００９８】
突起係合部３５１は突条３４Ｂに当接しているため、エンド係止金具３５０は溝２５から抜ける方向の移動が規制される。また、突起係合部３５１の端部が側部プレート部３１Ｂに突き当たっているため、エンド係止金具３５０は奥行方向奥側への移動が規制されている。また、側壁部３５２に設けられた緩衝部３５２Ａは側部プレート部３１Ａに当接しているため、エンド係止金具３５０は奥行方向手前側への移動が規制されている。このようにして、エンド係止金具３５０は、溝２５に配置された直線部固定部材３０Ｓに取り付けられている。
【００９９】
取付壁部３５５には、上下方向に貫通する取付孔３５５Ａが複数形成されている。この取付孔３５５Ａから挿通された螺子（不図示）が、対応する上棚板３０３または下棚板３０４にそれぞれ螺合している。これにより、エンド係止金具３５０は上棚板３０３、下棚板３０４に取り付けられている。
【０１００】
図１に示すように、第二棚装置３Ｂは、Ｘ方向に沿って配置された第一棚装置３Ａと、Ｙ方向に沿って配置された第一棚装置３Ａとの間に配置されている。第二棚装置３Ｂは、上下方向に離間して配置された上棚板３０３Ｂと、下棚板３０４Ｂとを有している。
【０１０１】
上棚板３０３Ｂは、第一棚装置３Ａの上棚板３０３と同一平面上に配置されている。上棚板３０３Ｂの幅方向端部における奥行方向の長さは、第一棚装置３Ａの上棚板３０３の奥行方向の長さと同じである。これにより、上棚板３０３Ｂと第一棚装置３Ａの上棚板３０３とは、上面及び奥行方向の両端面が連続して配置されている。
【０１０２】
下棚板３０４Ｂは、第一棚装置３Ａの下棚板３０４と同一平面上に配置されている。下棚板３０４Ｂの幅方向端部における奥行方向の長さは、第一棚装置３Ａの下棚板３０４の奥行方向の長さと同じである。これにより、下棚板３０４Ｂと第一棚装置３Ａの下棚板３０４とは、上面及び奥行方向の両端面が連続している。
【０１０３】
これら上棚板３０３Ｂ及び下棚板３０４Ｂの幅方向中間部の手前側には、それぞれ湾曲して凹む凹部３０３Ｘ，３０４Ｘが形成されている。この上棚板３０３Ｂ及び下棚板３０４Ｂは、それぞれ隣接する第一棚装置３Ａのエンド脚３１０や第一棚装置３Ａの上棚板３０３及び下棚板３０４等に連結されている。
【０１０４】
第三棚装置３Ｃは、Ｙ方向に沿って配置された第一棚装置３Ａの−Ｙ側に隣接して配置されている。第三棚装置３Ｃは、エンド脚３１０と、上下方向に離間して配置された上棚板３０３Ｃ及び下棚板３０４Ｃとを有している。
【０１０５】
上棚板３０３Ｃは、第二棚装置３Ｂの上棚板３０３Ｂと同一平面上に配置されている。下棚板３０４Ｃは、第二棚装置３Ｂの下棚板３０４と同一平面上に配置されている。
【０１０６】
これら上棚板３０３Ｃ及び下棚板３０４Ｃは、それぞれ隣接する第一棚装置３Ａのエンド脚３１０や第一棚装置３Ａの上棚板３０３及び下棚板３０４等に連結されている。
【０１０７】
このように構成された什器システム１では、上棚板３０３及び下棚板３０４は、床面上に設置されるパネル体１１Ｐに設けられたセンターブラケット３２３のみならず、床面上に設置されるセンター脚部３２２にも支持されている。よって、上下方向に複数設置された上棚板３０３及び下棚板３０４を安定的に支持することができる。
【０１０８】
また、平面視において、エンド脚３１０、センター脚３２０及び下棚板３０４は、上棚板３０３に重なるように配置されている。つまり、平面視において、エンド脚３１０、センター脚３２０及び下棚板３０４が上棚板３０３の外側に突出していないとともに、上棚板３０３上にセンター脚３２０等が存在しない。よって、上棚板３０３を使用する際に、エンド脚３１０、センター脚３２０及び下棚板３０４が、上棚板３０３に載置した物品へのアクセス時に支障になることがない。さらには、外側に突出する部材がないため、外観を良好とすることができる。
【０１０９】
また、センターブラケット３２３が管状材３２１及びセンター脚部３２２に連結されているため、センター脚３２０の剛性を高めることができる。よって、上棚板３０３及び下棚板３０４をより強固に支持することができる。また、管状材３２１、センター脚部３２２及びセンターブラケット３２３は連結されてセンター脚３２０として一体的に構成されているため、作業性を良好とすることができる。
【０１１０】
また、第一エンド脚部３１１と第二エンド脚部３１２とエンドブレケット３１３（図１５参照）と下棚板３０４との間には、空間部Ｋ１（図１参照）が形成されている。また、パネル体１１とセンター脚部３２２とセンターブレケット３２２（図１７参照）と下棚板との間には、空間部Ｋ２（図１参照）が形成されている。これにより、奥行方向の手前側から上棚板３０３及び下棚板３０４にアクセスすることができるとともに、空間部Ｋ１，Ｋ２、つまり下棚板３０４の幅方向からも下棚板３０４にアクセスすることができるため、使い勝手を良好とすることができる。
【０１１１】
また、管状材３２１が、互いに隣接する一方のパネル体１１Ｐの溝２５と他方のパネル体１１Ｐの溝２５とに嵌め込まれる。これにより、互いに隣接する二枚のパネル体１１Ｐから管状材３２１が露出することを最小限に抑えることができる。
また、エンド脚３１０及びセンター脚３２０は、パネル体１１とは別体であるため、パネル体１１自体を軽量な構成とすることができる。
【０１１２】
また、センターブラケット３２３が支持する上棚板３０３、下棚板３０４及び上棚板３０３及び下棚板３０４に載置された物品の荷重は、管状材３２１を介して間接的に床面に伝達される。よって、パネル体１１自体が支持する荷重を軽減することができるため、パネル体１１の強度を下げて、パネル体１１を軽量化することができる。
【０１１３】
また、管状材３２１により二枚のパネル体１１Ｐの外周端部同士を強固に連結することができる。
【０１１４】
また、第一棚装置３Ａの上棚体３０３の奥行方向の長さと第二棚装置３Ｂの上棚板３０３Ｂの幅方向端部における奥行方向の長さとは、同じである。また、第一棚装置３Ａの下棚体３０４の奥行方向の長さと第二棚装置３Ｂの下棚板３０４Ｂの幅方向端部における奥行方向の長さとは、同じである。よって、上棚板３０３から上棚板３０３Ｂにわたって奥行寸法の同じ物品を載置することができ、また上棚板３０４から上棚板３０４Ｂにわたって奥行寸法の同じ物品を載置することができるため、使い勝手を良好とすることができる。
【０１１５】
これ以外にも、本発明の主旨を逸脱しない限り、上記実施の形態で挙げた構成を取捨選択したり、他の構成に適宜変更したりすることが可能である。
【０１１６】
例えば、管状材３２１が下側連結部を介して支持脚体５０上に間接的に支持された構成としたが、これに限らない。管状材３２１を支持脚体５０に直接的に支持される構成としてもよい。さらに、管状材３２１は、支持脚体５０を介さずに床面に接地させ、床面に直接支持されているようにしてもよい。
【０１１７】
また、上記に示す実施形態においては、棚板は上下方向に上棚板３０３と下棚板３０４との二枚の棚板により構成されているが本発明はこれに限られない。三枚以上の棚板により構成されていてもよい。
【符号の説明】
【０１１８】
１  什器システム
２  間仕切り装置
１１  パネル体
１２  パネル基材（基材）
１３  クッション材
１３ｅ，１４ｅ  外周端部
１３ｔ  突出部
１４  表皮材
１５  芯材
１５ｈ  孔
１６  貫通孔
１６ｖ  角部
１６ｆ  内周面
１７  凹部
１８  ベースシート
２０  フレーム
２５  溝
３０  固定部材
３０Ｃ  コーナー部固定部材
３０Ｓ  直線部固定部材
５０  支持脚体
５１  下部支持部
５２  側部支持部
５３  支持脚部
５５  下側連結部
５７  スリット
６１  上側連結部
３０３  上棚板（最上段棚板、棚板）
３０４  下棚板（棚板）
３２１  管状材（杆体）
３２２  センター脚部（支持体）
３２３  センターブラケット（支持ブラケット）
【図１】
0006489681.tif 000002
【図２】
0006489681.tif 000003
【図３】
0006489681.tif 000004
【図４】
0006489681.tif 000005
【図５】
0006489681.tif 000006
【図６】
0006489681.tif 000007
【図７】
0006489681.tif 000008
【図８】
0006489681.tif 000009
【図９】
0006489681.tif 000010
【図１０】
0006489681.tif 000011
【図１１】
0006489681.tif 000012
【図１２】
0006489681.tif 000013
【図１３】
0006489681.tif 000014
【図１４】
0006489681.tif 000015
【図１５】
0006489681.tif 000016
【図１６】
0006489681.tif 000017
【図１７】
0006489681.tif 000018